(57)【特許請求の範囲】
【請求項１】
特にペースト状の媒質を計量するための、バルブ（１０）であって、
計量用開口部（３７）を有するバルブエレメント（１２）と、
計量用開口部（３７）の開閉のために平行移動可能であるバルブゲート（１４）と、
可傾移動を行うように構成されたアクチュエータ（１６）と、
レバーアーム（１８）とを有してなり、
レバーアームは、アクチュエータ（１６）に連結されており、計量用開口部（３７）の開閉のためにアクチュエータ（１６）の可傾移動をバルブゲート（１４）の平行ストローク移動に転換し、
レバーアーム（１８）が閉じた中空断面を有している、ことを特徴とするバルブ。
【請求項２】
レバーアーム（１８）がバルブゲート（１４）の方向に収斂した断面を有している、ことを特徴とする請求項１記載のバルブ。
【請求項３】
レバーアーム（１８）がステンレススチールのシート状物から作られる、ことを特徴とする請求項１または２記載のバルブ。
【請求項４】
レバーアーム（１８）が、複数の折り曲げられたシート状部品（５２）を一緒に連結、特に溶接したものである、ことを特徴とする請求項１から３のいずれかに記載のバルブ。
【請求項５】
アクチュエータ（１６）が可傾ベース（２４）を含み、この可傾ベースにはレバーアーム（１８）がカンチレバーとして固着、特に溶接されており、レバーアームの突出した自由端部がバルブゲート（１４）に連結されている、ことを特徴とする請求項１から４のいずれかに記載のバルブ。
【請求項６】
レバーアーム（１８）はその突出した自由端部にバルブゲート（１４）を受容するための連結エレメント（５４）を有している、ことを特徴とする請求項１から５のいずれかに記載のバルブ。
【請求項７】
バルブエレメント（１２）および／またはバルブゲート（１４）がセラミック材料から作られている、ことを特徴とする請求項１から６のいずれかに記載のバルブ。
【請求項８】
供給ライン（２０）をさらに有してなり、この供給ラインを介して計量される媒質が計量用開口部（３７）に供給される、ことを特徴とする請求項１から７のいずれかに記載のバルブ。
【請求項９】
供給ライン（２０）の下流端部が平行移動可能である、ことを特徴とする請求項８記載のバルブ。
【請求項１０】
バルブゲート（１４）が、供給ライン（２０）の下流端部に連続して配置される共に流れ開口部（３６）を有しており、この流れ開口部を通って計量される媒質が供給ライン（２０）から計量用開口部（３７）に供給される、ことを特徴とする請求項８または９記載のバルブ。
【請求項１１】
供給ライン（２０）の下流端部が、バルブ（１４）に弾性的に連結されており、特に弾性Ｏリング（３４）を介してバルブに対してシールされている、ことを特徴とする請求項８から１０のいずれかに記載のバルブ。
【請求項１２】
供給ライン（２０）の上流側端部が、固定された媒質通路（２０）に弾性的に連結されており、特にＯリング（３２）を介して媒質通路に対してシールされている、ことを特徴とする請求項８から１１のいずれかに記載のバルブ。
【請求項１３】
アクチュエータ（１６）が圧電アクチュエータの形態の少なくとも１つの可傾エレメントを有している、ことを特徴とする請求項１から１２のいずれかに記載のバルブ。
【請求項１４】
レバーアーム（１８）のストローク移動を監視するための経路計測装置が設けられている、ことを特徴とする請求項１から１３のいずれかに記載のバルブ。
【請求項１５】
バルブ（１０）の固体伝搬音用センサが設けられており、このセンサはバルブ（１０）の振動挙動を監視する、ことを特徴とする請求項１から１４のいずれかに記載のバルブ。
【発明の詳細な説明】
【技術分野】
【０００１】
本発明はバルブ（弁）に関し、特に、自動製造および生産技術ないし工業品生産の領域において、少量の範囲、および非常に少量の範囲のペースト状ないし糊状の媒質（媒体）を計量するためのバルブに関するものである。
【背景技術】
【０００２】
工業製品の小型化の増加現象の傾向は、特に娯楽用電子機器や通信用電子機器においてますます大きくなる傾向にある。製造される構成部品はより小型となり、小型化は、特に生産頻度が高い場合には工業技術の観点からは完全に新しい課題つまり努力目標である。このことは、製造工程の間におけるペースト状媒質の計量に特に適用される。しかしながら、電子部品のみならず、機械工学や装置工学、精密工学、医療工学、化学、食品工学および包装工学などの領域でも、接着剤、油脂、石油、フラックス（溶剤）あるいはラッカー（塗料）のようなペースト状媒質を少量および非常に少量の範囲で非常に正確に計量する必要性がある。
【０００３】
小型化の増加に加えて、生産技術の領域におけるサイクルタイムつまり１つのサイクルを実行するのに必要な時間が益々短くなっていることにより、非常に信頼性の高いプロセス安全性および計量の正確さが必要とされている。
【発明の開示】
【発明が解決しようとする課題】
【０００４】
本願発明の目的は、計量の正確さの高い要求を満たしつつ、計量頻度ないし度数が多い場合でも正確に運転することができる、バルブを提供することにある。
【課題を解決するための手段】
【０００５】
この目的は、請求項１記載の特徴を有するバルブにより満足させることができる。本発明に係わるバルブは、計量用開口部を含むバルブエレメントつまりバルブ構成要素を有しており、計量される媒質はこの開口部を通って計量用ニードルに供給される。計量目的で計量される媒質が計量用開口部を通って計量用ニードルに連続的に流入することを防止するために、バルブは更に、平行移動つまり並進が可能であるバルブゲートを有しており、このゲートによってバルブエレメントの計量用開口部が必要の際に開閉することができる。バルブゲートとバルブエレメントとは、互いに摩擦ロック接合しており、これにより、バルブエレメントおよび／またはバルブゲートはセラミック材料で作ることができ、これら部材の摩耗強度ないし耐摩耗性を高めることができる。
【０００６】
バルブゲートの所望の交互の開閉動作を生じさせるため、バルブはさらに、好ましくは圧電駆動部（ピエゾ駆動部）からなるアクチュエータを有している。しかしながら、この種の圧電駆動部では比較的小さいストロークだけしか発生できず、これでは約１ｍｍの必要なストロークでバルブゲートに所望の平行ストローク移動（平行行程移動）を生じさせるためには不十分であるので、アクチュエータは作動時に、可傾移動ないし可傾動作を行うように構成されており、レバーアームが前記アクチュエータに連結されてアクチュエータの可傾移動を転換および増幅し、バルブゲートに所望のストローク移動を行わせてバルブエレメントの計量用開口部が所望の開閉をするようになっている。
【０００７】
即ち、アクチュエータの可傾運動は振り子運動に転換され、この振り子運動の最大の振れないし撓みはレバーアームの長さの増大と共に増大し、これにより、バルブゲートは所望の平行ストローク移動（平行ストローク運動）を行い、レバーアームの自由端部の周期的な振れ運動によりバルブエレメントの計量用開口部が開閉する。
【０００８】
アクチュエータに連結されたレバーアームによるアクチュエータの可傾運動の転換ないし変換は、特に非常に長いレバーアームの長さによって可傾運動の回転特性がバルブゲートの略平行ストローク移動に転換されることから、さらに好適であることが判る。このため、回転運動成分が非常に少なくなる。
【０００９】
本発明の好ましい実施形態は明細書、図面および添付の特許請求の範囲に記載されている。
【００１０】
作動するアクチュエータの可傾運動をバルブゲートに出来る限り正確且つ予測可能に伝達するために、レバーアームは中空断面で閉じた形状を有している。レバーアームの（二次の）領域の大きな慣性モーメントはこの手法によって低い自重とすることでのみ達成でき、これによりレバーアームに比較的高い剛性と低い自重を持たせることができる。レバーアームの自重を最小限とすることはレバーアームの慣性力を小さく保持する点で特に重要であり、そうでない場合には、アクチュエータによる５００Ｈｚないしそれ以上の非常に高い周波数刺激のために高周波刺激に追随できなくなる。対照的に、（二次の）領域の慣性モーメントの最大化は重要であり、このため、レバーアームはその長さに沿って曲がることがなくなり、レバーアームの自由端部での振れないし撓みを正確に予測および／または計算できる。
【００１１】
レバーアームはその自由端部において小さい曲げひずみがあるだけなので、レバーアームの断面はバルブゲートの方向に連続的に収斂させることができ、自由端部における曲げひずみがより小さくなるため、そこに必要とされる領域の慣性モーメントがより小さくなる。さらに上述した断面の収斂は、慣性モーメントを所望の最小化という点からも有用であり、これにより、アクチュエータによる励起に対するレバーアームの応答挙動（挙動反応）がさらに改善される。
【００１２】
レバーアームの剛性特性と共に慣性挙動をさらに改善するために、レバーアームはステンレススチールのシート状物、特に約０．１ｍｍの厚さを有するもので作ることが好ましい。ステンレススチールからレバーアームを作ることは、ステンレススチールが比較的高いヤング係数を有する点からも好適であり、このことはレバーアームの変形挙動に対して直接的な良い影響を与える。
【００１３】
出来るだけ簡便なレバーアームを製造するためには、レバーアームは、複数の折り曲げた形状のシート状金属部品を一緒に連結、特に溶接したものにすれば良い。閉じた中空断面形状は、例えば、長手方向に折り曲げた２つ（ないし複数）のシート状の金属部品をそれらの自由縁に沿って溶接することで、簡単に作ることができる。ここで、本発明において「折り曲げた形状のシート状金属部品」には円形断面形状を備えたシート状金属部品も含まれる。丸めることには比較的大きな曲げ半径で折り曲げる意味も含まれる。
【００１４】
実施形態によれば、アクチュエータは、可傾（角度調整可能な）ベースの形態であるヨークを含ませることができ、この可傾ベースには、カンチレバー（片持ち梁）としてレバーアームが固定的に連結、特に溶接され、またレバーアームの突出した自由端部にはバルブゲートが連結される。ここで、圧電駆動部の可傾運動はレバーアームの可傾運動に転換され、および所望の平行ストローク移動に転換される。
【００１５】
レバーアームにより転換されるアクチュエータないしその可傾ベースの傾向運動はまた、比較的長いレバーアームと小さい撓みと共に僅かな回転モーメント成分を含んでいるので、バルブゲートにその突出する自由端部においてバルブゲートを受容するためレバーアームに連結エレメントを含ませることができる。この連結エレメントは、レバーアームの長手方向の範囲において比較的低い剛性を持たせることができ、これによりバルブゲートの平行ストローク移動に垂直に整列したレバーアームの運動成分を補償でき、この運動成分がバルブゲートに伝達されることがなくなり、不必要な締付けないし圧縮がさらに低減される。
【００１６】
本発明の別の実施形態によれば、本発明のバルブはさらに、チューブあるいはホースのような供給ラインを含んでおり、この供給ラインを介して計量される媒質が計量用開口部に供給される。バルブの領域において計量される媒質が望ましくな態様で逸出するインタフェースの数をできる限り小さくするために、供給ラインの下流端部は平行に移動可能であり、バルブゲートは供給ラインの下流端部に連続して配置されており且つ流れ開口部を有しており、計量される媒質はこの流れ開口部を経てが供給ラインからバルブエレメントの計量用開口部に供給される。アクチュエータを動作させることにより、つまりアクチュエータを作動させることでレバーアームが振り子運動をすることで、バルブゲートは上記の態様で交互の平行ストローク移動を行うことから、バルブゲートを供給ラインの下流端部に連結することで、バルブゲートのストローク運動による供給ラインも同様に平行に移動するようになる。これにより、バルブゲートとバルブエレメントとの間には、バルブゲートがバルブエレメントに沿ってスライドする接合機構の形態のインタフェースがあるだけであり、これにより計量される媒質が望ましくない態様でバルブから逸出する際に通過するインタフェースの数を低減することができる。
【００１７】
この実施形態では、バルブゲートは供給ラインの下流側に連続して配置されており、供給ライン中を流れる所望の量の媒質は、バルブゲートのストローク運動により、バルブゲート内に形成された流れ開口部がバルブエレメント内に形成された計量用開口部を通過する毎に、計量用開口部に出力され、これにより、所望の計量が達成される。
【００１８】
バルブゲートと供給ラインの下流側との間には、バルブゲートのストローク運動により生じる供給ラインの下流側の振れないし撓みの結果として、ヤーニングジョイント（つまり「開口動作をする接合部」）が生じるので、特に供給ラインが管状のラインである場合において、供給ラインの下流側は、バルブゲートと弾性的に連結することができ、特に弾性的なＯリングによってバルブゲートとシールすることができる。この態様において、バルブゲートと供給ラインの下流側端部との間の動作補償を提供できるので、不要な漏れが防止できる。
【００１９】
同様にして、供給ラインの上流側端部は固定された媒質通路に連結され、同様に不要な漏れが回避される。
【００２０】
バルブが正しく機能していることを監視するために、バルブに経路計測装置（経路測定装置）をさらに含ませることができ、例えば、この装置により、例えば光バリアを使用して、レバーアームのストローク運動を監視することで、ストローク運動を純粋に質的に十分監視できる。一方、ストローク運動を量的に評価するためには、例えば、誘導的に動作する経路計測装置を同様に設ければ良い。この装置は、レバーアームのストローク運動の間におけるレバーアームの速度に関する結果を与えるように構成される。
【００２１】
バルブゲートの正しい動作も同様にして監視され、つまりバルブの開閉毎に媒質に圧力サージが作用し、媒質は振動を起こすように励起（刺激）されるので、計量される媒質の振動挙動が監視される。
【００２２】
上記した例えばバルブエレメントおよび／またはバルブゲートの摩耗といったバルブの何らかの故障判定を引き出すため、あるいは計量される媒質の注入ないし充填レベルを監視するために、固体伝搬音用センサが設けられ、これにより、例えば媒質の注入レベルやバルブの摩耗が監視される。
【発明を実施するための最良の形態】
【００２３】
以下に、本発明を、例示的な実施例を図面を参照しつつ説明する。
【００２４】
まず、本願発明に係わるバルブの基本的な構造を図１から３を参照して説明する。このバルブは図１および２において全体的に参照符号１０で示されており、ハウジング３０内に収納されている。媒質通路２８は、これを通してバルブ１０に計量される媒質が供給されるものであり、ハウジング３０内に開口している。媒質通路２８はハウジング３０の内部において供給ライン２０の形態で連続しており、供給ライン２０は弾性のあるＯリング３２により媒質通路２８でシールされている。供給ライン２０はチューブあるいはホースのいずれかとすることができる。
【００２５】
図３から明らかなように、供給ライン２０の下流端部に連続して、バルブゲート１４が供給ライン２０に連結されており、またこのバルブゲートは同様にＯリング３４により供給ライン２０に対してシールされている。ここで、供給ライン２０を通る媒質の流れを妨げないため、バルブゲート１４は流れ開口部３６を有しており、この流れ開口部を通って媒質はバルブエレメント１２の計量用開口部３７に配分される。バルブエレメントは調節板３８の受容部６６内に嵌合される一方、調節板はハウジング３０の下側に固定される。バルブエレメント１２の計量用開口部３７は、計量通路４０内に続いており、計量通路は調節板３８を通って延在し、また調節板はその一部が計量ニードル（計量針部）４４の通路開口部内に連続しており、計量ニードルは保持ナット４２により調節板３８の固定用スタブつまり固定用突出部に固定されている。
【００２６】
媒質通路２８を経てバルブ１０に供給された媒質は、よって、供給ライン２０を通りバルブゲート１４に流れ、またバルブゲートの流れ開口部３６を通りバルブエレメント１２の計量用開口部３７を通り、および調整板３８内の計量通路４０を通って計量ニードル４４に供給され、計量ニードル４４により計量して配分できる。
【００２７】
計量の目的で計量された媒質の上述した流れ経路上での連続的な流れを防止するために、バルブゲート１４は、バルブエレメント１２と摩擦ロック接合しており、特に計量用開口部３７に対して横に平行に移動できて、流れ開口部３６がバルブエレメント１２の計量用開口部３７と一致した時だけ、つまりバルブが開いた時だけに、媒質が流れ、よって、計量ニードル４４から計量された媒質の配分が可能となる。しかしながら、図１および３に示したようにバルブゲート１４が側方に移動した場合、および流れ開口部３６がバルブエレメント１２の計量用開口部３７と一致しない場合、つまりバルブが閉じた場合には、計量される媒質の流れが抑制つまり止められる。
【００２８】
計量ニードル４４を経て計量される媒質が少量の範囲および非常に少量の範囲で配分されるようにできるために、計量用開口部３７に対してバルブゲート１４に横方向に高周波平行ストローク移動をさせることが必要であり、これにより、計量用開口部３７は、バルブゲート１４の流れ開口部３６が計量用開口部３７と一致した時だけ常に簡単に開くようになる。
【００２９】
バルブゲート１４にこの高周波の、平行ストローク移動をさせるために、バルブ１０はアクチュエータ１６をさらに含んでおり、このアクチュエータは図示した例では、ここに参照されるＤＥ  １９６  ４６  ５１１Ｃ１やＤＥ  １９８  ５５  ２２１Ａ１に詳細に説明されているような、圧電アクチュエータ（ピエゾアクチュエータ）の形態の２つの可傾エレメント２２を有している。圧電アクチュエータの形態の可傾エレメント２２は、アクチュエータ１６の保護ハウジング４６内に収容されており、この保護ハウジングはバルブ１０のハウジング３０の上側部に取付けられている。保護ハウジング４６は上側ハウジングハーフ６８と下側ハウジングハーフ７０とで構成され、これらハウジングは弾性的ななＯリング４８により互いにシールつまり密封されており、これにより、アクチュエータ１６は密閉されて媒質の不要な進入が防止される。これに関連して、可傾ベース２４と称され且つクランプ用ネジ２６を経て上側ハウジングハーフ６８に固定されたヨークが、下側ハウジングハーフ７０の端部を形成している。２つの可傾エレメント２２は、これらに交流電力を供給することで、片側に交互に伸びたり縮んだりし、この結果、可傾ベース２４は、図１の平面に垂直な軸の回りで可傾運動つまり傾動をするようになる。
【００３０】
可傾ベース２４の上記の可傾運動をバルブゲート１４に特に増強して転換するために、レバーーアーム１８が可傾ベース２４に溶接され且つレバーアームの自由端部はバルブゲート１４に連結されている。このようにして、可傾ベース２４の傾斜振動はレバーアームの１８を介してバルブゲート１４の平行ストローク移動に転換され、計量用開口部３７を所望の態様で交互に開閉できるようになる。
【００３１】
圧電アクチュエータの形態の可傾エレメント２２は、５００Ｈｚから１ｋＨｚの周波数で容易に励起ないし起動できることは明らかである。しかしながら、この周波数を正確にバルブゲート１４に伝達するために、レバーアーム１８は以下のような特別な断面を有している。
【００３２】
図１および２から明らかなように、レバーアーム１８は、バルブゲート１４の方向に収斂しており、これはレバーアームの加速の際に生じる慣性力に関して有利である。更に図６を参照して、レバーアーム１８はハニカム構造の中空断面を有しており、図示した実施例ではそれ自体内側に閉じており、これは同様に、一方において、慣性力の低減の点からは有用ないし好都合である。しかしながら、他方において、このような中空断面は、対応する全断面についての領域の相当慣性モーメントを有しており、このためレバーアーム１８の重量の低減はレバーアーム１８の剛性の低減に僅かに影響を及ぼすだけである。
【００３３】
対応する材料の選択（例えば、ステンレススチール）により、不適切な方法で剛性を落とすことなく、レバーアーム１８の壁厚を約０．１ｍｍまで低減することができる。長手方向に収斂する閉じた中空断面を備えたこの様なレバーアーム１８の製造を簡略化するには、レバーアーム１８は、図６から明らかなように、複数の折り返された形状のシート状金属部品５２を連結、特に一緒に溶接したものである。図示したレバーアーム１８を製造するためには、最初に２つの対称な形状のシート状金属部品５２がシート状のステンレススチールから折り返すことで作られ、次いでこれらを互いにそれらの自由端の縁に沿って対応する溶接シーム５０により互いに連結する。
【００３４】
上述した通り、可傾ベース２４の可傾運動は、レバーアーム１８の補助により、レバーアーム１８の自由端部ないしこれに連結されたバルブゲート１４の実質的な平行ストローク移動に転換される。しかしながら、レバーアーム１８の自由端部は、バルブゲート１４の振り子運動の際の所要の平行ストローク移動に垂直な運動成分（非常に小さい）を有しており、バルブゲート１４をレバーアーム１８を分離ないし分断し、この垂直な運動成分がバルブゲート１４に伝達されないようにすることが望ましい。
【００３５】
上記の目的のために、図７に詳細に示したようにステンレススチールのシート状物を折り曲げてなる連結エレメント（連結部材）５４が、レバーアーム１８の自由端部に溶接されている。この例では、連結エレメント５４は、折り曲げ構造セクション５６と、これに隣接した平面支持セクション５８とを有している。ここで、折り曲げ構造セクション５６は、連結エレメント５４に必要な長手方向の剛性を付与し、レバーアーム１８の長手方向の範囲に垂直に整列した運動成分とバルブゲート１４に伝達することができる。折り曲げ構造セクションは、約４５°の角度でレバーアーム１８の自由端部に溶接されており、またレバーアーム１８を僅かに越えて横方向に突出している。これとは対照的に、レバーアーム１８の長手軸に実質的に垂直に整列ないし位置合わせしている平面支持セクション５８は、比較的柔軟であり、よって、レバーアーム１８の振れの際のレバーアーム１８の長手方向の範囲に対して平行に整列する運動成分を補償でき、よってこの成分はバルブゲート１４に伝達されない。
【００３６】
支持セクション５８は穴６０を有しており（図５および７を参照）、この穴には受容エレメント６２が嵌合され（図４）、この受容エレメントはシーム溶接により支持セクション５８に固定されれる。受容エレメント６２は受容開口部６４を有しており、この開口部はバルブゲート１４の形状と一致しており、これによりバルブゲートは、受容開口部６４を通って延在できると共にその下側がバルブエレメント１２と接触できるようになる。
【００３７】
圧電アクチュエータの形態の可傾エレメント２２により生じる可傾ベース２４の可傾移動は、上記の構成により正確に伝達される。そして、レバーアーム１８からバルブゲート１４までの剛性のある形態で平行ストローク移動をするので、バルブゲートはバルブエレメント１２と直接的な接触をしつつバルブエレメント１２上をスライドする。このため、バルブゲート１４とバルブエレメント１２はセラミック材料から構成され、摩耗強度ないし耐摩耗性を高めている。ここで、供給ライン２０を経てバルブゲートに供給された媒質は、次いで、バルブゲート１４の流れ開口部３６がバルブエレメント１２の計量用開口部３７と一致する毎に、バルブエレメント１２の計量用開口部３７内に流れ、およびここから計量ニードル４４に流れる。ここで、少量および非常に少量の範囲での計量を行うためには、バルブゲート１を高周波平行ストローク移動させることが好ましい。本発明によれば、これは、上述したレバーアーム１８の特別な構造ないし形状により行うことができ、これにより、可傾ベース２４の高周波傾斜振動が、５００Ｈｚないしそれ以上の周波数で平行ストローク移動の形態で、バルブゲート１４に正確に転換される。
【００３８】
最後に、駆動されるレバーアーム１８の形態の駆動機構ないしバルブゲート１４を備えた圧電アクチュエータがストローク運動を起こすが、これは注入される媒質の純粋なジェット式遮断装置としても同様に使用できる。この例の場合、バルブエレメント１２は必要ではない。この用途ではむしろ、媒質のジェット噴霧がバルブゲート１４により周期的に遮断され、つまり、計量の目的で圧電アクチュエータの形態の駆動されるレバーアーム１８の補助によりバルブゲート１４はその一定の間隔で押圧される。
【図面の簡単な説明】
【００３９】
【図１】本発明に係わるバルブの側部の断面図である。
【図２】本発明に係わるバルブの正面の断面図である。
【図３】図１における詳細部Ｚの拡大図である。
【図４】レバーアームの連結エレメントの領域における側部断面図である。
【図５】レバーアームの底面図である。
【図６】底面図におけるレバーアームの断面図である。
【図７】連結エレメントの斜視図である。
【符号の説明】
【００４０】
１０  バルブ
１２  バルブエレメント
１４  バルブゲート
１６  アクチュエータ
１８  レバーーアーム
２０  供給ライン
２２  可傾エレメント
２４  可傾ベース（ヨーク）
２６  クランプ用ネジ
２８  媒質通路
３０  ハウジング
３２  Ｏリング
３４  Ｏリング
３６  流れ開口部
３７  計量用開口部
３８  調節板
４０  計量通路
４２  保持ナット
４４  計量ニードル
４６  保護ハウジング
４８  Ｏリング
５０  溶接シーム
５２  シート状金属部品
５４  連結エレメント
５６  折り曲げ構造セクション
５８  平面支持セクション
６０  穴
６２  受容エレメント
６４  受容開口部
６６  受容部
６８  上側ハウジングハーフ
７０  下側ハウジングハーフ
【図１】
0005393052.tif 000002
【図２】
0005393052.tif 000003
【図３】
0005393052.tif 000004
【図４】
0005393052.tif 000005
【図５】
0005393052.tif 000006
【図６】
0005393052.tif 000007
【図７】
0005393052.tif 000008